(57)【要約】【課題】害虫に対する毒餌剤容器の喫食性及び定着性を向上することができ、毒餌剤容器の安全面、衛生面を良好にすることができ、また、立てて設置することができる毒餌剤容器を提供する。【解決手段】容器本体１１と、容器本体１１に取り付けられるカバー部材１２と、毒餌剤３７〜３９が収容される毒餌剤収容部３４〜３６と、容器１０内に匍匐性害虫が出入りするための出入口５０と、出入口５０から毒餌剤収容部３４〜３６に匍匐性害虫を導く通路５１と、出入口５０から直進したときに突き当たり、通路５１に進入した匍匐性害虫の進行方向を２回以上変更する壁部３１，３２，４１ａと、を備え、通路５１及び毒餌剤収容部３４〜３６が、容器本体１１及びカバー部材１２によって暗化される。【選択図】図１
2009148177.tif 000002
【特許請求の範囲】
【請求項１】
少なくとも一つの毒餌剤が収納される毒餌剤容器であって、
容器本体と、
前記容器本体に取り付けられるカバー部材と、
前記毒餌剤が収容される毒餌剤収容部と、
前記容器内に匍匐性害虫が出入りするための出入口と、
前記出入口から前記毒餌剤収容部に匍匐性害虫を導く通路と、
前記出入口から直進したときに突き当たり、前記通路に進入した匍匐性害虫の進行方向を２回以上変更する壁部と、を備え、
前記通路及び前記毒餌剤収容部が、前記容器本体及び前記カバー部材によって暗化されることを特徴とする毒餌剤容器。
【請求項２】
前記出入口及び前記通路の少なくとも一方が、上り坂となるように形成されることを特徴とする請求項１に記載の毒餌剤容器。
【請求項３】
前記出入口は、前記カバー部材に設けられるひさし板により狭く形成されることを特徴とする請求項１又は２に記載の毒餌剤容器。
【発明の詳細な説明】
【技術分野】
【０００１】
本発明は、ゴキブリ等の匍匐性害虫を駆除するのに好適な毒餌剤容器に関する。
【背景技術】
【０００２】
従来から、ゴキブリ等の匍匐性害虫を駆除するための方法として、食毒剤を害虫が好む餌に混ぜたもの、所謂、毒餌剤を用いる方法が知られている。毒餌剤としては、殺虫効果や誘引効果が低下しないように密封袋内に収納され、用時に密封袋から取り出され、所定の容器内に充填されるものがある。容器としては、毒餌剤を収納した容器全体が密封袋で密封されたものや、底板と周壁とから構成される収納部に毒餌剤を収納してシール部材により収納部の開口を密封したものがある。これらの容器は、使用に際して、密封袋やシール部材を取り除き、害虫の出現しうる場所に置かれる。
【０００３】
そして、このような毒餌剤容器の一例として、図１０に示すような毒餌剤容器１００が知られている（例えば、特許文献１参照）。この毒餌剤容器１００は、図１０に示すように、底板１０１と、底板１０１の四隅に設けられる柱部１０２と、柱部１０２に支持される天板１０３と、底板１０１上に設けられる毒餌剤収容部１０４と、毒餌剤収容部１０４に収容される毒餌剤１０５と、天板１０３に設けられる揮散口１０６と、柱部１０２，１０２間に形成される害虫侵入口１０７と、を備え、揮散口１０６から害虫誘引成分を揮散させ、害虫侵入口１０７に害虫を誘引している。
【０００４】
【特許文献１】特開平１０−２０１４０８号公報
【発明の開示】
【発明が解決しようとする課題】
【０００５】
しかしながら、上記特許文献１に記載の毒餌剤容器１００では、毒餌剤１０５を収納する毒餌剤収納部１０４に光が直接入り込むようになっているため、暗所を好むゴキブリの性質に合わず、警戒心が生まれてしまい、喫食性及び定着性が低かった。また、毒餌剤１０５が害虫侵入口１０７を介して外部に露出しているため、幼児等が毒餌剤１０５と接触してしまう可能性があることから、安全面、衛生面で好ましくなかった。さらに、毒餌剤容器を立てて用いたりした場合に、毒餌剤やその食べカスが容器外にこぼれることがあり改善の必要があった。
【０００６】
本発明は、上述した事情に鑑みてなされたものであり、その目的は、害虫に対する毒餌剤容器の喫食性及び定着性を向上することができ、毒餌剤容器の安全面、衛生面を良好にすることができ、また、立てて設置することができる毒餌剤容器を提供することにある。
【課題を解決するための手段】
【０００７】
本発明の上記目的は、下記構成によって達成される。
（１）  少なくとも一つの毒餌剤が収納される毒餌剤容器であって、容器本体と、容器本体に取り付けられるカバー部材と、毒餌剤が収容される毒餌剤収容部と、容器内に匍匐性害虫が出入りするための出入口と、出入口から毒餌剤収容部に匍匐性害虫を導く通路と、出入口から直進したときに突き当たり、通路に進入した匍匐性害虫の進行方向を２回以上変更する壁部と、を備え、通路及び毒餌剤収容部が、容器本体及びカバー部材によって暗化されることを特徴とする毒餌剤容器。
（２）  出入口及び通路の少なくとも一方が、上り坂となるように形成されることを特徴とする（１）に記載の毒餌剤容器。
（３）  出入口は、カバー部材に設けられるひさし板により狭く形成されることを特徴とする（１）又は（２）に記載の毒餌剤容器。
【０００８】
本発明の毒餌剤容器によれば、容器本体と、容器本体に取り付けられるカバー部材と、毒餌剤が収容される毒餌剤収容部と、容器内に匍匐性害虫が出入りするための出入口と、出入口から毒餌剤収容部に匍匐性害虫を導く通路と、出入口から直進したときに突き当たり、通路に進入した匍匐性害虫の進行方向を２回以上変更する壁部と、を備え、通路及び毒餌剤収容部が、容器本体及びカバー部材によって暗化されるため、暗化された通路及び毒餌剤収容部により匍匐性害虫の警戒心が解かれて、匍匐性害虫が毒餌剤容器内に入り込み易くなるので、害虫に対する毒餌剤容器の喫食性及び定着性を向上することができる。
【０００９】
また、出入口から毒餌剤収容部までの間に通路が設けられると共に、通路の形成方向を２回以上変更する壁部が設けられるため、毒餌剤が外部に露出することがない。これにより、幼児等と毒餌剤が接触するのを防止することができるので、毒餌剤容器の安全面、衛生面を良好にすることができる。
【００１０】
また、本発明の毒餌剤容器によれば、通路が壁部によりクランク状に形成されるため、入り組んでいて遮蔽物があるところを好む匍匐性害虫の警戒心を解くことができるので、害虫に対する毒餌剤容器の喫食性及び定着性を更に向上することができる。また、出入口から毒餌剤までの距離が長く暗いので、容器内での害虫の定着数を向上することができる。さらに、幼児等の指が毒餌剤収容部に到達してしまうのを確実に防止することができるので、毒餌剤容器の安全面、衛生面を更に良好にすることができる。
【００１１】
また、本発明の毒餌剤容器によれば、出入口から直進したときに突き当たる位置に壁部が設けられるため、毒餌剤容器内に害虫の食べカス、毒餌剤からの液ダレが発生したとしても、これらが外部に漏れ出るのを防止することができる。これにより、毒餌剤容器の安全面、衛生面を更に良好にすることができる。また、害虫の食べカス、毒餌剤からの液ダレが容器外に漏れ出ないので、毒餌剤容器を立てて設置することも可能となり、適用場面を広めることができる。
【００１２】
また、本発明の毒餌剤容器によれば、出入口及び通路の少なくとも一方を匍匐性害虫の好む上り坂としているため、匍匐性害虫が通路内に進入し易くなり、毒餌剤容器の喫食性及び定着性を更に向上することができる。
【００１３】
また、本発明の毒餌剤容器によれば、カバー部材のひさし部により出入口を狭くしているため、出入口から光が入りにくくなっている。これにより、通路を効率よく暗化することができるので、毒餌剤容器の喫食性及び定着性を更に向上することができる。さらに、幼児等の指が毒餌剤収容部に到達してしまうのを確実に防止することができるので、毒餌剤容器の安全面、衛生面を更に良好にすることができる。
【００１４】
また、本発明の毒餌剤容器によれば、複数種類の毒餌剤を使用することによって、地域や場所によって異なる匍匐性害虫の種類や好みに対応することができる。また、その種類や好みに合わせて毒餌剤を複数個使用することも可能である。また、毒餌剤は、異なる成分、含水量、製剤型とすることによって、各種、各ステージのゴキブリに対する誘引効果を高めることができる。
【００１５】
本発明に使用される毒餌剤には、害虫に対する防除効果を得るために各種殺虫成分等を有効成分として用いることができる。例えば、除虫菊エキス、天然ピレトリン、プラレトリン、イミプロトリン、フタルスリン、アレスリン、トランスフルトリン、レスメトリン、フェノトリン、シフェノトリン、ペルメトリン、サイパーメスリン、エトフェンプロックス、シフルスリン、デルタメスリン、ビフェントリン、フェンバレレート、フェンプロパスリン、シラフルオフェン、メトフルトリン、プロフルトリン等のピレスロイド系化合物や、フェニトロチオン、ダイアジノン、マラソン、ピリダフェンチオン、プロチオホス、ホキシム、クロルピリホス、ジクロルボス等の有機リン系化合物や、カルバリル、プロポクスル、メソミル、チオジカルブ等のカーバメート系化合物や、メトキサジアゾン等のオキサジアゾール系化合物や、イミダクロプリド、アセタミプリド、ニテンピラム、チアクロプリド等のクロロニコチル系化合物、チアメトキサム、クロチアニジン等のチアニコチル系化合物、ジノテフラン等のフラニコチル系化合物等のネオニコチノイド系化合物や、フィプロニル等のフェニルピラゾール系化合物や、アミドフルメト等のスルホンアミド系化合物や、メトプレン、ハイドロプレン、ピリプロキシフェン等の昆虫成長制御化合物や、ベンジルアルコール、ハッカ油等の殺虫性精油類や、ホウ酸、ホウ砂、クロルフェナピル、これらの異性体又は誘導体、ピペロニルブトキサイド、サイネピリン５００、サイネピリン２２２、Ｓ−４２１等の共力剤等の１種又は２種以上を配合してもよい。
【００１６】
そして、毒餌剤は、上記した有効成分の他に、食餌成分、誘引成分、溶媒等を適宜用いて常法により、例えば、錠剤、練合せ剤、固形剤、ゼリー剤、グミ剤等に製造すればよい。
【００１７】
食餌成分とは、害虫を誘引し、摂食させることができる食餌・誘引成分を意味するものであり、例えば、糖質類、油脂類、デンプン類、タンパク類、アミノ酸類、動植物のエキス類、高級アルコール類等を用いることができる。
【００１８】
食餌、誘引成分としては、例えば、果汁、ハチミツ、廃糖ミツ、マルチトース、キシリトール、ソルビトール、異性果糖、蔗糖、砂糖キビ、砂糖、パラチノース、トレハロース、シュークロース、ソホロース、コウジビオース、シラノース、ラミナリビオース、ニゲロース、マルトース、セロビオース、ラクトース、キシロビオース、ライクロース、ゲンチオビオース、イソマルトース、メリビオース、ルチノース、プリムベロース、ビシアノース、ロビノース、Ｄ−グルコース、Ｎ−アセチル−Ｄ−グルコミサン、Ｄ−ガラクトース、Ｄ−ガラクツロン酸、Ｄ−マンノース、Ｄ−キシロース、Ｄ−ラクトース、Ｌ−アラビノース、Ｄ−グルクロン酸、Ｄ−グルコミサン、アクチン、アルブミン、カゼイン、フィブリン、フィブリノーゲン、ケラチン、グロブリン、ヘモグロビン、ラクトグロブリン、ミオジン、ヘプシン、リボヌクレアーゼ、フィッシュソリュブル等の１種又は２種以上を用いることができる。
【００１９】
さらに、例えば、イナゴ、バッタ、カマキリ、コオロギ、チョウ、ガ、ハエ、オキアミ、サナギコ、魚類、家畜類、貝類、卵等からの由来物質や、落花生、カボチャ種子、小麦フスマ、小麦粉、トウモロコシ、ソラマメ、大豆等からの由来物質や、木ロウ、ヤシ油、カカオ脂、ヒマシ油、オリーブ油、落花生油、大豆油、トウモロコシ油、ナタネ油、ゴマ油、綿実油、アマニ油、キリ油、麻実油、エノ油、哺乳類等から得られるバター脂、鯨油、イルカ油、イワシ油、ニシン油、タラ肝油、サメ肝油、微生物油脂、酵母や細菌等からの油脂や、エデスチン、ゼイン、グリアジン等の１種又は２種以上を用いることもできる。
【００２０】
また、例えば、オニオンフレーバー、メープルフレーバー、チキンエキス、ビーフエキス、ポークエキス、牛乳、醤油、ウスターソース、ペリプラノン化合物、トリアルキルアミン塩類、アルキルアミン類、ゴキブリの糞や卵及び乾燥物、メチルシクロペンテノロン、バニリン、マルトール、メチルマルトール等の１種又は２種以上を用いることができる。
【００２１】
溶媒としては、例えば、精製水、イオン水、鉱水等の水や、エタノール、グリセリン、プロピレングリコール等の有機溶媒や、ポリオキシエチレンソルビタン脂肪酸エステル、ポリオキシエチレンヒマシ油、グリコール誘導体等の界面活性剤や、乳酸エチル、乳酸メチル等の乳酸エステルや、Ｎ−メチルピロリドン等のＮ−アルキルピロリドン等の１種又は２種以上を用いることができる。
【００２２】
また必要に応じて、酸化防止剤、保存剤、誤食防止剤、色素、香料等を配合することもできる。
【００２３】
例えば、エリソルビン酸及びその塩、ジブチルヒドロキシトルエン、ｄｌ−α−トコフェロール、ノルジヒドログアヤレチック酸、メチルヒドロキシアニソール、没食子酸プロピル、グアヤク脂、Ｌ−システイン塩等の酸化防止剤や、安息香酸及びその塩、サリチル酸、ジフェニール、ソルビン酸及びその塩、デヒドロ酢酸及びその塩、パラヒドロキシ安息香酸エステル、プロピオン酸ナトリウム、プロピオン酸カリウム、フェノキシエタノール等の保存剤や、安息香酸デナトニウム、トウガラシ末等の苦味成分や辛味成分等の誤食防止剤や、黄色４号、赤色１０２号、青色１号等のタール系色素やカラメル等の色素や、チーズ香料、バター香料、ピーナッツ香料、ピーチ香料、ストロベリー香料、ミルク香料等の香料や、クエン酸、リン酸水素塩等のＰＨ調整剤等の１種又は２種以上を用いることができる。
【００２４】
また害虫の誘引、摂食を阻害しない限り、必要に応じて、例えば、ホワイトカーボン、珪藻土、クレー、カオリン、タルク、ベントナイト、シリカ等の無機物や、パラフィン、ポリエチレングリコール、デキストリン、スチレン樹脂、シリコーン樹脂、結晶セルロース、寒天、ゼラチン等の有機物の１種又は２種以上を配合してもよい。
【００２５】
また、本発明の毒餌剤は、匍匐性害虫である、例えば、チャバネゴキブリ、クロゴキブリ、ワモンゴキブリ等のゴキブリに適用することができる。
【発明の効果】
【００２６】
本発明の毒餌剤容器によれば、容器本体と、容器本体に取り付けられるカバー部材と、毒餌剤が収容される毒餌剤収容部と、容器内に匍匐性害虫が出入りするための出入口と、出入口から毒餌剤収容部に匍匐性害虫を導く通路と、出入口から直進したときに突き当たり、通路に進入した匍匐性害虫の進行方向を２回以上変更する壁部と、を備え、通路及び毒餌剤収容部が、容器本体及びカバー部材によって暗化されるため、害虫に対する毒餌剤容器の喫食性及び定着性を向上することができ、毒餌剤容器の安全面、衛生面を良好にすることができる。
【発明を実施するための最良の形態】
【００２７】
以下、本発明に係る毒餌剤容器の各実施形態について、図面を参照して詳細に説明する。
【００２８】
（第１実施形態）
まず、図１〜図５を参照して、本発明に係る毒餌剤容器の第１実施形態について説明する。
図１は本発明に係る毒餌剤容器の第１実施形態を説明するための分解斜視図、図２は図１に示す毒餌剤容器の組み立て後の外観斜視図、図３は図１に示す毒餌剤容器の横断面図、図４は図３のＡ−Ａ線矢視断面図、図５は図３のＢ−Ｂ線矢視断面図である。
【００２９】
本実施形態の毒餌剤容器１０は、図１に示すように、主として、容器本体１１と、容器本体１１の上方を覆うカバー部材１２と、を備える。
【００３０】
容器本体１１は、図１及び図３に示すように、平面視略六角形に形成される中央底板２０と、中央底板２０の各辺から外方に向けて連設され、外方から中央底板２０に向けて上り坂となるように形成される第１〜第６側部底板２１〜２６と、を備え、全体として平面視略六角形に形成される。
【００３１】
また、容器本体１１は、第１〜第６側部底板２１〜２６の互いに隣り合う境界線上の外端部に、平面視略Ｖ字状の柱部３０がそれぞれ立設されており、その内の第２及び第３側部底板２２，２３間、第４及び第５側部底板２４，２５間、及び第６及び第１側部底板２６，２１間に設けられる柱部３０から中央に向けて壁部である第１内壁板３１がそれぞれ連設される。
【００３２】
また、容器本体１１は、第１内壁板３１の内端部から中央底板２０の一辺の外縁に沿って壁部である第２内壁板３２が連設される。そして、各第１及び第２内壁板３１，３２により、第１，第３，第５側部底板２１，２３，２５上に平面視略への字状の隔壁が形成される。
【００３３】
また、中央底板２０には、第２内壁板３２のそれぞれの内側位置に、上方に向けてボス部３３が突設され、このボス部３３の内側位置には、第１〜第３毒餌剤収容部３４〜３６が設けられる。そして、本実施形態では、第１毒餌剤収容部３４にゲル状又はゼリー状の第１毒餌剤３７が収容され、第２毒餌剤収容部３５に固形状の第２毒餌剤３８が収容され、第３毒餌剤収容部３６に固形状の第３毒餌剤３９が収容される。また、第２毒餌剤３８は動物性毒餌を主成分とした毒餌剤で、第３毒餌剤３９は植物性毒餌を主成分とした毒餌剤である。
【００３４】
また、第１側部底板２１には、図１及び図３に示すように、丸孔形状の位置決め孔２７が形成されており、この位置決め孔２７は、組立工程において、複数の容器本体１１を積み重ねる際に不図示の治具を挿通させたり、光を通過させたりして、第１側部底板２１の位置（位相）を一定にする。これにより、容器本体１１とカバー部材１２の組み立て位相が常に一定となるので、製造効率の向上が可能となる。
【００３５】
カバー部材１２は、図１〜図３に示すように、平面視略六角形に形成される中央天板４０と、中央天板４０の第２，第４，第６側部底板２２，２４，２６に対応する辺から外方に向けて連設され、中央天板４０から外方に向けて水平に形成される側部天板４１と、各側部天板４１の外縁から下方に向けて連設される壁部である外壁板４１ａと、中央天板４０の第１，第３，第５側部低板２１，２３，２５に対応する辺から外方に向けて連設され、中央天板４０から外方に向けて下方に傾斜するように形成されるひさし板４２と、各ひさし板４２の外縁から下方に向けて連設されるひさし部４２ａと、を備え、全体として平面視略六角形に形成される。
【００３６】
また、中央天板４０の裏側には、容器本体１１のボス部３３に対応する位置に、ボス部３３に挿し込まれカバー部材１２を容器本体１１に取り付けるための挿入杆４３が突設される。
【００３７】
そして、図１〜図５に示すように、容器本体１１の第１〜第３毒餌剤収容部３４〜３６に第１〜第３毒餌剤３７〜３９がそれぞれ収容された後、容器本体１１にカバー部材１２が覆い被され、容器本体１１の各ボス部３３にカバー部材１２の各係合杆４３が差し込まれることによって、毒餌剤容器１０が組み立てられる。
【００３８】
このため、側部天板４１，４１，４１が、第２，第４，第６側部底板２２，２４，２６上にそれぞれ配置され、ひさし板４２，４２，４２が、第１，第３，第５側部底板２１，２３，２５上にそれぞれ配置される。そして、ひさし板４２，４２，４２、第１，第３，第５側部底板２１，２３，２５、及び柱部３０，３０・・・によって、毒餌剤容器１０の外周面に３個の出入口５０が等間隔に形成される。この出入口５０は、上下方向の高さが狭く形成されており、その大きさは、クロゴキブリ、ヤマトゴキブリ、チャバネゴキブリ等の匍匐性害虫の外形に合わせられている。なお、本実施形態の出入口５０は、例えば、幅４７ｍｍ、高さ１０ｍｍの大きさに形成される。出入口５０の寸法は、これに限られず、幅１０〜６０ｍｍ、高さ５〜２０ｍｍの範囲で調整して形成できる。
【００３９】
また、本実施形態では、図３〜図５に示すように、容器本体１１に形成される３個の第１及び第２内壁板３１，３２、及びカバー部材１２に形成される３個の外壁板４１ａによって、各出入口５０から第１〜第３毒餌剤収容部３４，３５，３６に匍匐性害虫を導く通路５１が形成される。また、本実施形態では、第２内壁板３２は、出入口５０から直進したときに突き当たる位置に形成される。
【００４０】
そして、出入口５０から通路５１内に進入した匍匐性害虫は、第１及び第２内壁板３１，３２により進行方向を右方向に変更させられた後、右隣の第２内壁板３２及び外壁板４１ａにより進行方向を左方向に変更させられて、第１〜第３毒餌剤収容部３４〜３６に到達し、第１〜第３毒餌剤３７〜３９を喫食する。このとき、通路５１内は容器本体１１及びカバー部材１２により周りが囲まれて狭く暗くなっているため、匍匐性害虫の警戒心は解かれている。また、第１〜第６側部底板２１〜２６が匍匐性害虫の好む上り坂となっているため、匍匐性害虫が通路５１内に進入し易くなっている。
【００４１】
（第２実施形態）
次に、図６を参照して、本発明に係る毒餌剤容器の第２実施形態について説明する。なお、第１実施形態と同一又は同等部分については、図面に同一符号を付してその説明を省略或いは簡略化する。
図６は本発明に係る毒餌剤容器の第２実施形態を説明するための概略平面図である。なお、図６ではカバー部材は省略されている。
【００４２】
本実施形態の毒餌剤容器６０は、図６に示すように、平面視略正方形の容器本体６１と、容器本体６１の上方を覆う不図示のカバー部材と、容器本体６１上に点対称に立設される４枚の壁部６２と、４枚の壁部６２により容器本体６１の略中央に形成される毒餌剤収容部６３と、毒餌剤収容部６３に収容される４種類の毒餌剤６４と、を備える。
【００４３】
壁部６２は、平面視直線状に形成される第１壁板６２ａと、第１壁板６２ａの一端部から外側に回り込むように平面視略正方形に形成される第２壁板６２ｂと、を備え、平面視略鉤状に形成される。また、第１壁板６２ａの他端部は、左隣の壁部６２の第２壁板６２ｂ内まで延びている。
【００４４】
そして、本実施形態では、容器本体６１、カバー部材、及び隣り合う壁部６２，６２の第２壁板６２ｂ，６２ｂによって、毒餌剤容器６０の各側面の中央部に出入口６５がそれぞれ形成される。また、隣り合う壁部６２，６２の第２壁板６２ｂ，６２ｂによって、各出入口６５から毒餌剤収容部６３に匍匐性害虫を導く通路６６が形成される。また、４枚の壁部６２によって、毒餌剤６４の周囲を匍匐性害虫が回遊することが可能な回廊部６７が形成される。また、各壁部６２の第２壁板６２ｂ内に、通路６６に進入した匍匐性害虫が休息する休息室６８が形成される。
【００４５】
そして、出入口６５から通路６６内に進入した匍匐性害虫は、壁部６２の第１及び第２壁板６２ａ，６２ｂの外側面により進行方向を左方向に変更させられた後、左隣の壁部６２の第２壁板６２ｂの内側面により進行方向を右方向にＵターンさせられて、毒餌剤収容部６３に到達し、毒餌剤６４を喫食する。
【００４６】
（第３実施形態）
次に、図７を参照して、本発明に係る毒餌剤容器の第３実施形態について説明する。なお、第１実施形態と同一又は同等部分については、図面に同一符号を付してその説明を省略或いは簡略化する。
図７は本発明に係る毒餌剤容器の第３実施形態を説明するための概略平面図である。なお、図７ではカバー部材は省略されている。
【００４７】
本実施形態の毒餌剤容器７０は、図７に示すように、平面視略正方形の容器本体７１と、容器本体７１の上方を覆う不図示のカバー部材と、容器本体７１上に左右対称に立設される２枚の平面視略Ｔの字状の第１壁部７２ａと、容器本体７１上に対角線上に立設される２枚の平面視略Ｔの字状の第２壁部７２ｂと、容器本体７１上に対角線上に立設される２枚の平面視略Ｌの字状の第３壁部７２ｃと、第１及び第２壁部７２ａ，７２ｂにより容器本体７１の略中央に形成される毒餌剤収容部７３と、毒餌剤収容部７３に収容される３種類の毒餌剤７４と、を備える。
【００４８】
そして、本実施形態では、容器本体７１、カバー部材、及び第１及び第２壁部７２ａ，７２ｂによって、毒餌剤容器７０の左右の側面の略中央部に第１出入口７５ａがそれぞれ形成される。また、容器本体７１、カバー部材、及び第１及び第３壁部７２ａ，７２ｃによって、毒餌剤容器７０の左右の側面の略中央部に第２出入口７５ｂがそれぞれ形成される。また、容器本体７１、カバー部材、及び第２及び第３壁部７２ｂ，７２ｃによって、毒餌剤容器７０の対角線上の側面に第３出入口７５ｃがそれぞれ形成される。
【００４９】
また、本実施形態では、第１及び第２壁部７２ａ，７２ｂによって、第１出入口７５ａから毒餌剤収容部７３に匍匐性害虫を導く第１通路７６ａが形成される。また、第１及び第３壁部７２ａ，７２ｃによって、第２出入口７５ｂから毒餌剤収容部７３に匍匐性害虫を導く第２通路７６ｂが形成される。また、第２及び第３壁部７２ｂ，７２ｃによって、第３出入口７５ｃから毒餌剤収容部７３に匍匐性害虫を導く第３通路７６ｃが形成される。
【００５０】
また、本実施形態では、第１及び第２壁部７２ａ，７２ｂによって、毒餌剤７４の周囲を匍匐性害虫が回遊することが可能な回廊部７７が形成される。
【００５１】
そして、第１出入口７５ａから第１通路７６ａ内に進入した匍匐性害虫は、第１壁部７２ａにより進行方向を左方向に変更させられた後、第２壁部７２ｂにより進行方向を右方向に変更させられて、毒餌剤収容部７３に到達し、毒餌剤７４を喫食する。また、第２出入口７５ｂから第２通路７６ｂ内に進入した匍匐性害虫は、第１壁部７２ａにより進行方向を右方向に変更させられた後、第２壁部７２ｂにより進行方向を左方向に変更させられて、毒餌剤収容部７３に到達し、毒餌剤７４を喫食する。また、第３出入口７５ｃから第３通路７６ｃ内に進入した匍匐性害虫は、第２壁部７２ｂにより進行方向を左方向に変更させられた後、第３壁部７２ｃにより進行方向をＵターンさせられて、毒餌剤収容部７３に到達し、毒餌剤７４を喫食する。
【００５２】
（第４実施形態）
次に、図８を参照して、本発明に係る毒餌剤容器の第４実施形態について説明する。なお、第１実施形態と同一又は同等部分については、図面に同一符号を付してその説明を省略或いは簡略化する。
図８は本発明に係る毒餌剤容器の第４実施形態を説明するための概略平面図である。なお、図８ではカバー部材は省略されている。
【００５３】
本実施形態の毒餌剤容器８０は、図８に示すように、平面視略正方形の容器本体８１と、容器本体８１の上方を覆う不図示のカバー部材と、容器本体８１上に立設される平面視略渦巻き状の第１壁部８２ａ及び第２壁部８２ｂと、容器本体８１上に立設される平面視略括弧状の第３壁部８２ｃ及び第４壁部８２ｄと、第１壁部８２ａにより容器本体８１の略中央に形成される毒餌剤収容部８３と、毒餌剤収容部８３に収容される毒餌剤８４と、を備える。
【００５４】
そして、本実施形態では、容器本体８１、カバー部材、及び第１及び第２壁部８２ａ，８２ｂによって、毒餌剤容器８０の右前の側面に第１出入口８５ａが形成される。また、容器本体８１、カバー部材、及び第２及び第３壁部８２ｂ，８２ｃによって、毒餌剤容器８０の右奥の側面に第２出入口８５ｂが形成される。また、容器本体８１、カバー部材、及び第３及び第４壁部８２ｃ，８２ｄによって、毒餌剤容器８０の左奥の側面に第３出入口８５ｃが形成される。また、容器本体８１、カバー部材、及び第１及び第４壁部８２ａ，８２ｄによって、毒餌剤容器８０の左前の側面に第４出入口８５ｄが形成される。
【００５５】
また、本実施形態では、第１及び第２壁部８２ａ，８２ｂによって、第１出入口８５ａから毒餌剤収容部８３に匍匐性害虫を導く第１通路８６ａが形成される。また、第１〜第３壁部８２ａ〜８２ｃによって、第２出入口８５ｂから毒餌剤収容部８３に匍匐性害虫を導く第２通路８６ｂが形成される。また、第１，第３，第４壁部８２ａ，８２ｃ，８２ｄによって、第３及び第４出入口８５ｃ，８５ｄから第２通路８６ｂに合流し、毒餌剤収容部８３に匍匐性害虫を導く第３通路８６ｃ及び第４通路８６ｄが形成される。
【００５６】
また、本実施形態では、第１壁部８２ａによって、毒餌剤８４の周囲を匍匐性害虫が回遊することが可能な回廊部８７が形成される。
【００５７】
そして、第１出入口８５ａから第１通路８６ａ内に進入した匍匐性害虫は、第１及び第２壁部８２ａ，８２ｂにより進行方向を右方向に６回変更させられて毒餌剤収容部８３に到達し、毒餌剤８４を喫食する。また、第２出入口８５ｂから第２通路８６ｂ内に進入した匍匐性害虫は、第１〜第３壁部８２ａ〜８２ｃにより進行方向を右方向に７回変更させられて毒餌剤収容部８３に到達し、毒餌剤８４を喫食する。また、第３出入口８５ｃから第３通路８６ｃ内に進入した匍匐性害虫は、途中で第２通路８６ｂに合流して、第１〜第４壁部８２ａ〜８２ｄにより進行方向を右方向に８回変更させられて毒餌剤収容部８３に到達し、毒餌剤８４を喫食する。また、第４出入口８５ｄから第４通路８６ｄ内に進入した匍匐性害虫は、途中で第２及び第３通路８６ｂ，８６ｃに合流して、第１〜第４壁部８２ａ〜８２ｄにより進行方向を右方向に９回変更させられて毒餌剤収容部８３に到達し、毒餌剤８４を喫食する。
【実施例】
【００５８】
以下に、本発明の毒餌剤容器（本実施例）の作用効果を確認するために行った各試験について説明する。
【００５９】
各試験に使用する本実施例の毒餌剤容器は、図９（ａ）に示すように、本発明の毒餌剤容器１０であり、比較例の毒餌剤容器は、図９（ｂ）に示すように、本発明の毒餌剤容器１０から第１内壁板３１及び第２内壁板３２を取り外したものである。また、本実施例及び比較例の毒餌剤容器では、毒餌剤収容部に１種類の固形飼料（オリエンタル酵母社製）が設置される。
【００６０】
[喫食量比較試験]
本試験では、供試虫（チャバネゴキブリ雄２５匹と雌２５匹）及び水を入れたバット（縦３８ｃｍ、横２８ｃｍ、高さ１８ｃｍ）内に、本実施例及び比較例の毒餌剤容器を並置して、一晩放置した後の飼料の喫食量（減少量）を確認した。そして、上記した試験を４回繰り返して行い、その平均喫食量（ｇ）を確認した。結果を表１に示す。
【００６１】
【表１】
2009148177.tif 000003
【００６２】
表１から明らかなように、比較例の平均喫食量が０．４５ｇであるのに対して、本実施例の平均喫食量が０．５１ｇであることから、本実施例の方が多くの飼料が喫食されたことがわかった。このことから、入り組んだ構造の本実施例の方が外部からの影響を受け難いため、ゴキブリの警戒心が解かれることにより容器内での喫食時間が延びて、ゴキブリの喫食量が増加したものと考えられる。
【００６３】
[定着数比較試験]
本試験では、供試虫（チャバネゴキブリ雄２５匹と雌２５匹）及び水を入れたバット（縦３８ｃｍ、横２８ｃｍ、高さ１８ｃｍ）内に、本実施例及び比較例の毒餌剤容器を並置して、一晩放置した後のゴキブリの定着数（容器内へ定着しているゴキブリの数）を確認した。そして、上記した試験を４回繰り返して行い、その平均定着数（匹）を確認した。結果を表２に示す。
【００６４】
【表２】
2009148177.tif 000004
【００６５】
表２から明らかなように、比較例の平均定着数が８匹であるのに対して、本実施例の平均定着数が２０．７５匹であることから、本実施例の方が多くのゴキブリが容器内に定着することがわかった。このことから、入り組んだ構造の本実施例の方が外部からの影響を受け難いため、ゴキブリの警戒心が解かれることにより容器内での滞在時間が延びて、ゴキブリの容器内への定着数が増加したものと考えられる。
【００６６】
なお、本発明は、前述した実施形態に限定されるものではなく、適宜、変形、改良、等が可能である。
例えば、本実施形態では、毒餌剤容器は、平面視略六角形に形成されているが、これに限定されず、他の多角形形状や円形状に形成されていてもよい。
【図面の簡単な説明】
【００６７】
【図１】本発明に係る毒餌剤容器の第１実施形態を説明するための分解斜視図である。
【図２】図１に示す毒餌剤容器の組み立て後の外観斜視図である。
【図３】図１に示す毒餌剤容器の横断面図である。
【図４】図３のＡ−Ａ線矢視断面図である。
【図５】図３のＢ−Ｂ線矢視断面図である。
【図６】本発明に係る毒餌剤容器の第２実施形態を説明するための概略平面図である。
【図７】本発明に係る毒餌剤容器の第３実施形態を説明するための概略平面図である。
【図８】本発明に係る毒餌剤容器の第４実施形態を説明するための概略平面図である。
【図９】試験に用いる毒餌剤容器を説明するための図であり、（ａ）は本実施例の毒餌剤容器の分解斜視図、（ｂ）は比較例の毒餌剤容器の分解斜視図である。
【図１０】従来の毒餌剤容器を説明するための斜視図である。
【符号の説明】
【００６８】
１０    毒餌剤容器
１１    容器本体
１２    カバー部材
２０    中央底板
２１    第１側部底板
２２    第２側部底板
２３    第３側部底板
２４    第４側部底板
２５    第５側部底板
２６    第６側部底板
３０    柱部
３１    第１内壁板（壁部）
３２    第２内壁板（壁部）
３４    第１毒餌剤収容部
３５    第２毒餌剤収容部
３６    第３毒餌剤収容部
３７    第１毒餌剤
３８    第２毒餌剤
３９    第３毒餌剤
４０    中央天板
４１    側部天板
４１ａ  外壁板（壁部）
４２    ひさし板
５０    出入口
５１    通路
【図１】
2009148177.tif 000005
【図２】
2009148177.tif 000006
【図３】
2009148177.tif 000007
【図４】
2009148177.tif 000008
【図５】
2009148177.tif 000009
【図６】
2009148177.tif 000010
【図７】
2009148177.tif 000011
【図８】
2009148177.tif 000012
【図９】
2009148177.tif 000013
【図１０】
2009148177.tif 000014